(57)【要約】      （修正有）【課題】軽量で継ぎ目がなく、使用性や機動性が極めて良い洗浄機を提供する。【解決手段】ケース１０と動力部２０とを含む洗浄機１であって、ケース１０は、樹脂で膨張中空成形され、洗浄槽１１と内部収容空間とを含み、洗浄槽１１は、ケース１０の上面に一体成形され、その底端には前記内部収容空間と連通する液体排出穴１１１が設けられ、前記内部収容空間は溶剤を収容するためのものであり、動力部２０は、ケース１０内に取付けられ、前記内部収容空間の内部に位置される液体吸上げ端と、排出端２１と、を含み、前記排出端は、一端が前記液体吸上げ端と連通し、他端が外部と連通し、動力部２０の動力により、溶剤が前記液体吸上げ端を介して前記内部収容空間から吸上げられ排出端２１から排出される。【選択図】図１
0003151842.tif 000002
【実用新案登録請求の範囲】
【請求項１】
ケースと、動力部と、を含む洗浄機において、
前記ケースは、樹脂で膨張中空成形され、洗浄槽と、内部収容空間と、を含み、前記洗浄槽は、前記ケースの上面に一体成形され、その底端には前記内部収容空間と連通する液体排出穴が設けられ、前記内部収容空間は溶剤を収容するためのものであり、
前記動力部は、前記ケース内に取付けられ、前記内部収容空間の内部に位置される液体吸上げ端と、排出端と、を含み、前記排出端は、一端が前記液体吸上げ端と連通し、他端が外部と連通し、前記動力部の動力により、溶剤が前記液体吸上げ端を介して前記内部収容空間から吸上げられて前記排出端から排出されることを特徴とする、洗浄機。
【請求項２】
更に、貫通孔を含み、前記貫通孔により前記内部収容空間が外部と連通し、且つ溶剤の充填、又は排出が前記貫通孔によって実施されることを特徴とする、請求項１に記載の洗浄機。
【請求項３】
更に、前記液体排出穴の内部に設けられるろ過装置を含むことを特徴とする、請求項１に記載の洗浄機。
【請求項４】
更に、液滴収容部を含み、前記液滴収容部は、前記ケースの上面に一体成形され、その底端には前記内部収容空間と連通する流路が設けられることを特徴とする、請求項１に記載の洗浄機。
【請求項５】
前記ケースの下面にはキャスターが複数設けられることを特徴とする、請求項１に記載の洗浄機。
【請求項６】
更に、前記ケースを被り可能な上蓋を含むことを特徴とする、請求項１に記載の洗浄機。
【請求項７】
前記上蓋の内面には挟み台が設けられ、前記排出端が前記挟み台に挟まれ可能であることを特徴とする、請求項６に記載の洗浄機。
【請求項８】
更に、前記ケースに設けられる温度調整装置を含むことを特徴とする、請求項１に記載の洗浄機。
【考案の詳細な説明】
【技術分野】
【０００１】
本考案は洗浄機に係り、特に溶剤によって部品を洗浄する洗浄機に関するものである。
【背景技術】
【０００２】
車両の修理工場や機械工場において、工場の床面を清潔に保持するために、オイルなどの汚れた部品を洗浄する洗浄機を設置することが一般的であり、しかし、洗浄機が重いので、機動性が良くない。一方、従来の洗浄機は、洗浄槽、溶剤槽と管路が別々に作製されるので、作製にはかなりの工数が掛かる。
【０００３】
また、従来の洗浄機は、その本体が鋼材または他の金属材料で作製されるので、継ぎ目が完全にシールされないことがあり、この場合には、洗浄機に収容される溶剤が漏れ出して周りを汚すという問題があった。一方、鋼材の価格が高騰しているので、材料コストを低減することができない。
【考案の概要】
【考案が解決しようとする課題】
【０００４】
本考案の主な目的は、軽量で継ぎ目がなく、そして使用性および機動性が極めて良い洗浄機を提供することにある。
【課題を解決するための手段】
【０００５】
本考案の請求項１に記載の洗浄機によると、ケースと、動力部と、を含む洗浄機において、前記ケースは、樹脂で膨張中空成形され、洗浄槽と、内部収容空間と、を含み、前記洗浄槽は、前記ケースの上面に一体成形され、その底端には前記内部収容空間と連通する液体排出穴が設けられ、前記内部収容空間は溶剤を収容するためのものであり、前記動力部は、前記ケース内に取付けられ、前記内部収容空間の内部に位置される液体吸上げ端と、排出端と、を含み、前記排出端は、一端が前記液体吸上げ端と連通し、他端が外部と連通し、前記動力部の動力により、溶剤が前記液体吸上げ端を介して前記内部収容空間から吸上げられ前記排出端から排出されることを特徴とする洗浄機である。
【０００６】
本考案の請求項２に記載の洗浄機によると、更に、貫通孔を含み、前記貫通孔により前記内部収容空間が外部と連通し、且つ溶剤の充填、又は排出が前記貫通孔によって実施される。
【０００７】
本考案の請求項３に記載の洗浄機によると、更に、前記液体排出穴の内部に設けられるろ過装置を含む。
【０００８】
本考案の請求項４に記載の洗浄機によると、更に、液滴収容部を含み、前記液滴収容部は、前記ケースの上面に一体成形され、その底端には前記内部収容空間と連通する流路が設けられる。
【０００９】
本考案の請求項５に記載の洗浄機によると、前記ケースの下面にはキャスターが複数設けられる。
【００１０】
本考案の請求項６に記載の洗浄機によると、更に、前記ケースを被り可能な上蓋を含む。
【００１１】
本考案の請求項７に記載の洗浄機によると、前記上蓋の内面には挟み台が設けられ、前記排出端が前記挟み台に挟まれ可能である。
【００１２】
本考案の請求項８に記載の洗浄機によると、更に、前記ケースに設けられる温度調整装置を含む。
【考案の効果】
【００１３】
本考案の洗浄機によれば、軽量で継ぎ目がなく、そして使用性および機動性が極めて良いという効果を有する。
【図面の簡単な説明】
【００１４】
【図１】本考案の洗浄機の斜視図である。
【図２】本考案の洗浄機の右側から見た透視図である。
【図３】本考案の洗浄機の左側から見た透視図である。
【図４】本考案の洗浄機の別の視点から見た斜視図である。
【考案を実施するための形態】
【００１５】
以下、本考案の実施の形態を図面に基づいて説明する。
【００１６】
まず、図１から図３を参照する。図１は本考案の洗浄機の斜視図であり、図２は本考案の洗浄機の右側から見た透視図であり、図３は本考案の洗浄機の左側から見た透視図である。本考案の洗浄機は、ケース１０と、動力部２０と、上蓋３０と、を含む。前記ケース１０は、樹脂で膨張中空成形され、洗浄槽１１と、内部収容空間１２と、貫通孔１３と、液滴収容部１４と、を含み、前記洗浄槽１１は、前記ケース１０の上面に一体成形され、その底端には前記内部収容空間１２と外部を連通する液体排出穴１１１が設けられ、前記内部収容空間１２は溶剤を収容するためのものである。一方、前記貫通孔１３は前記内部収容空間１２と外部を連通してもよく、溶剤の充填、又は排出が前記貫通孔１３によって実施可能である。また、前記液滴収容部１４は、前記ケース１０の上面に一体成形され、その底端には前記内部収容空間１２と連通する流路１４１が設けられる。工具を洗浄した後に、前記液滴収容部１４内に前記工具を置いて溶剤を滴下することができ、滴下された溶剤が前記内部収容空間１２に回流されて再利用することができる。一方、前記液体排出穴１１１の内部にはろ過装置１５を設けてもよく、前記ろ過装置１５はろ過網を採用してもよく、そうすると、工具などを洗浄するときに発生するゴミや汚れをろ過することができる。また、前記ケース１０には、更に、溶剤の温度を調整するための温度調整装置４０を設けてもよい。
【００１７】
前記動力部２０は、前記ケース１０内に取付けられ、前記内部収容空間１２の内部に位置される液体吸上げ端（図示せず）と、排出端２１と、を含み、前記排出端２１は、一端が前記液体吸上げ端と連通し、他端が外部と連通する。前記動力部２０の動力により、溶剤が前記液体吸上げ端を介して前記内部収容空間１２から吸上げられ前記排出端２１から排出され、これにより、溶剤の循環システムが形成され、溶剤を循環して使用することができる。
【００１８】
前記上蓋３０の一側が前記ケース１０に枢着され、前記動力部２０は前記ケース１０から取り取外し可能であり、前記上蓋３０は、前記ケース１０を被り可能であり、更に、前記ケース１０と係合するファスナーを有し、これにより、ユーザは本考案の洗浄機を便利に収納し、又は移動することができる。前記上蓋３０の内側には、照明のための光源３１と、工具や部品などを放置するための工具枠３２と、前記排出端２１を固定するための挟み台３３と、が設けられる。また、前記上蓋３０は樹脂製品でもよい。
【００１９】
一方、本考案の洗浄機は、枠の上で置いて使用することができる他、図４に示すように、前記ケース１０の下面にキャスター５０を複数設けてもよく、そうすると、本考案の洗浄機の機動性が更に向上する。また、前記ケース１０の両側には、引揚部１６またはハンドル（図示せず）を設けてもよく、そうすると、本考案の洗浄機の運搬が更に便利になる。一方、前記ケース１０の底部には、溶剤や前記内部収容空間内にある不純物が漏れるための漏れ穴を増設してもよい。
【産業上の利用可能性】
【００２０】
本考案は、洗浄装置に適用することができる。
【符号の説明】
【００２１】
１          洗浄機
１０        ケース
１１        洗浄槽
１２        内部収容空間
１３        貫通孔
１４        液滴収容部
１５        ろ過装置
１６        引揚部
２０        動力部
２１        排出端
３０        上蓋
３１        光源
３２        工具枠
３３        挟み台
４０        温度調整装置
５０        キャスター
１１１      液体排出穴
１４１      流路
【図１】
0003151842.tif 000003
【図２】
0003151842.tif 000004
【図３】
0003151842.tif 000005
【図４】
0003151842.tif 000006